(57)【要約】【課題】弁体の充水開度未満の小開度域での手動操作を軽くして、操作者の体感によって充水開度を容易かつ正確に把握することができる充水機能を備えたバタフライ弁を提供する。【解決手段】弁体２の外周部に充水開度以内の小開度域で流体Ｆの通過を遮断するフイン３０Ａ，３０Ｂを設け、たとえば一方のフイン３０Ｂに少量の流体の通過を許容する通路３１を設ける。そして、弁体２の外周部には、その全閉状態でゴム製弁箱シート１Ａに接触する封止突条４を形成し、フイン３０Ａ，３０Ｂの先端部には、弁体２の充水開度でゴム製弁箱シート１Ａに接触する封止突条５を形成する。また、封止突条４と封止突条５の間にあるフイン３０Ａ，３０Ｂの外面３０ａ，３０ｂは、ゴム製弁箱シート１Ａの内面に隙間ｔを隔てて対向するように構成する。【選択図】        図１
2004183673.tif 000002
【特許請求の範囲】
【請求項１】
弁体が弁箱の軸線に交差する軸線を有する弁棒に取付けられて該弁棒と同時にその軸線まわりに回転可能に弁箱に収容されているとともに、その回転によって弁体の外周が弁箱内面の弁箱シートに接離して弁箱の開閉を行うように構成されており、前記弁体の外周部に該弁体の充水開度以内の小開度域で流体の通過を遮断するフインが設けられ、このフインに流体の通過を許容する通路が設けられているバタフライ弁において、前記弁体の外周部とフインの先端部の二箇所に前記弁箱シートに接触可能な封止突条が形成されているとともに、これら封止突条の間のフインの外面が隙間を隔てて前記弁箱シートの内面に対向するように構成されていることを特徴とする充水機能を備えたバタフライ弁。
【発明の詳細な説明】
【０００１】
【発明の属する技術分野】
本発明は、配管下流側への充水作業時などにおいて、弁体の充水開度域で少量の水（流体）を流下させることができる充水機能を備えたバタフライ弁に関する。
【０００２】
【従来の技術】
従来より、図６に示すように、配管下流側への充水作業時において、弁体２の充水開度で少量の水（流体）を流下させることができる充水機能を備えたバタフライ弁が知られている（たとえば、特願２００１−１６０８６０号）。
【０００３】
この種のバタフライ弁は、弁体２が弁箱１の軸線Ｃ１に交差する軸線Ｃ２を有する弁棒３に取付けられて該弁棒３と同時にその軸線Ｃ２まわりに回転可能に弁箱１に収容されているとともに、その回転によって弁体２の外周が弁箱１内面のゴム製弁箱シート１Ａに接離して弁箱１の開閉を行うように構成されているとともに、弁体２の外周部には、該弁体２の充水開度以内の小開度域においてゴム製弁箱シート１Ａに接触して流体の通過を遮断するフイン３０Ａ，３０Ｂが設けられ、充水開度以内の小開度域で流体の通過方向上流側に位置するフイン３０Ｂに流体の通過を許容する通路３１を設けた構造のものである。
【０００４】
このように構成されたバタフライ弁では、弁体２の充水開度では、フイン３０Ａ，３０Ｂがゴム製弁箱シート１Ａに接触して流体の通過を遮断するので、フイン３０Ｂに設けられている通路３１を通って弁箱１の上流側から下流側に少量の水を流下させて配管下流側への充水を実行することができる。
【０００５】
【発明が解決しようとする課題】
ところが、図７，図８に示すように、弁体２の充水開度以内の小開度域においては、フイン３０Ａ，３０Ｂ（ただし、図７，図８では一方のフイン３０Ｂのみが示されている）がゴム製弁箱シート１Ａに接触し続けるので、小開度域での手動操作が通常のバタフライ弁と比較して若干重いために、操作者の体感によって充水開度を把握し辛い問題があった。
【０００６】
本発明は、このような事情を考慮してなされたもので、弁体の充水開度未満の小開度域での手動操作を軽くして、操作者の体感によって充水開度を容易かつ正確に把握することができる充水機能を備えたバタフライ弁を提供することを目的としている。
【０００７】
【課題を解決するための手段】
前記目的を達成するために、本発明に係る充水機能を備えたバタフライ弁は、弁体が弁箱の軸線に交差する軸線を有する弁棒に取付けられて該弁棒と同時にその軸線まわりに回転可能に弁箱に収容されているとともに、その回転によって弁体の外周が弁箱内面の弁箱シートに接離して弁箱の開閉を行うように構成されており、前記弁体の外周部に該弁体の充水開度以内の小開度域で流体の通過を遮断するフインが設けられ、このフインに流体の通過を許容する通路が設けられているバタフライ弁において、前記弁体の外周部とフインの先端部の二箇所に前記弁箱シートに接触可能な封止突条が形成されているとともに、これら封止突条の間のフインの外面が隙間を隔てて前記弁箱シートの内面に対向するように構成されていることを特徴としている。
【０００８】
本発明によれば、弁体の全閉状態では、弁体の外周部に形成されている封止突条が弁箱シートに接触することで流体の通過を遮断し、弁体が充水開度で弁開された場合には、フインの先端部に形成されている封止突条が弁箱シートに接触することで流体の通過を遮断することができる。このため、弁体の充水開度以内の小開度域では、主として、フインに設けられている通路を通って弁箱の上流側から下流側に少量の水を流下させて、配管下流側への充水を実行することができる。また、フインの外面が二箇所の封止突条の間で隙間を隔てて弁箱シートの内面に対向していることにより、充水開度未満の小開度域においてフインと弁箱シートとの接触が回避されるので、充水開度未満の小開度域での手動操作を軽くして、充水開度においてフインの先端部に形成されている封止突条が弁箱シートに接触した時点で、手動操作が重くなるので操作者の体感によって充水開度を容易かつ正確に把握することができる。
【０００９】
【発明の実施の形態】
以下、本発明の一実施の形態を図面に基づいて説明する。図１は本発明に係る右回し開用バタフライ弁の一実施の形態を示す全閉状態の平面図、図２は全閉状態での弁箱シートと封止突条との関係を部分的に示す断面図、図３は充水開度に弁開された状態を示す平面図、図４は充水開度での弁箱シートと封止突条との関係を部分的に示す断面図である。なお、前記図６〜図８の従来例と同一もしくは相当部分には、同一符号を付して説明する。
【００１０】
図１および図２において、バタフライ弁は、弁体２が矢印Ｒで示す時計まわりで弁開される右回し開用のもので、弁体２の外周部には、該弁体２が後述するθ＝１５度程度の充水開度以内の小開度域で流体Ｆ（たとえば水）の通過を遮断するフイン３０Ａ，３０Ｂが設けられ、前記小開度域で流体Ｆの通過方向上流側に位置するフイン３０Ｂに少量の流体の通過を許容する細長い一つの貫通孔によってなる通路３１が設けられている。なお、弁体２が反時計まわりで弁開される左回し開用のバタフライ弁では、フイン３０Ａに少量の流体の通過を許容する細長い一つの貫通孔によってなる通路３１が設けられる。また、細長い一つの貫通孔によってなる通路３１に代えて、たとえば図５に示すように、複数の貫通孔３１Ａ〜３１Ｄの集合体によって通路３１を構成してもよい。
【００１１】
一方、弁体２の外周部には、該弁体２の全閉状態でゴム製弁箱シート１Ａに接触する封止突条４が形成され、フイン３０Ａ，３０Ｂの先端部には、弁体２の充水開度でゴム製弁箱シート１Ａに接触する封止突条５が形成されており、封止突条４と封止突条５の間にあるフイン３０Ａ，３０Ｂの外面３０ａ，３０ｂは、ゴム製弁箱シート１Ａの内面に隙間ｔを隔てて対向するように構成してある（ただし、図２および図４では、一方の外面３０ａのみを示している）。
【００１２】
このような構成であれば、図１，図２に示す弁体２の全閉状態では、弁体２の外周部に形成されている封止突条４がゴム製弁箱シート１Ａの内面に接触することで流体Ｆの通過を遮断し、全閉状態の弁体２が図３，図４に示す開度θ＝１５度程度の充水開度まで弁開された場合には、フイン３０Ａ，３０Ｂの先端部に形成されている封止突条５がゴム製弁箱シート１Ａの内面に接触することで流体Ｆの通過を遮断することができる。このため、弁体２の充水開度以内の小開度域では、主として、フイン３０Ｂに設けられている通路３１を通って弁箱１の上流側から下流側に少量の水を流下させて、配管下流側への充水を実行することができる。この場合、実際は、フイン３０Ａ，３０Ｂの外面３０ａ，３０ｂとゴム製弁箱シート１Ａの内面との隙間から無視できる程度の極少量の水が上流側から下流側に通過する。
【００１３】
一方、フイン３０Ａ，３０Ｂの外面３０ａ，３０ｂが二箇所の封止突条４、５の間で隙間ｔを隔ててゴム製弁箱シート１Ａの内面に対向していることにより、充水開度未満の小開度域においてフイン３０Ａ，３０Ｂとゴム製弁箱シート１Ａとの接触が回避されるので、充水開度未満の小開度域での手動操作を軽くして、充水開度においてフイン３０Ａ，３０Ｂの先端部に形成されている封止突条５がゴム製弁箱シート１Ａに接触した時点で、手動操作が重くなるので操作者の体感によって充水開度を容易かつ正確に把握することができる。
【００１４】
【発明の効果】
以上説明したように、本発明に係る充水機能を備えたバタフライ弁は構成されているので、以下のような格別の効果を奏する。
【００１５】
すなわち、充水開度未満の小開度域においてフインと弁箱シートとの接触が回避されるので、充水開度未満の小開度域での手動操作を軽くして、充水開度においてフインの先端部に形成されている封止突条が弁箱シートに接触した時点で、手動操作が重くなるので操作者の体感によって充水開度を容易かつ正確に把握することができる。
【図面の簡単な説明】
【図１】本発明に係る右回し開用バタフライ弁の一実施の形態を示す全閉状態の平面図である。
【図２】全閉状態での弁箱シートと封止突条との関係を部分的に示す断面図である。
【図３】充水開度に弁開された状態を示す平面図である。
【図４】充水開度での弁箱シートと封止突条との関係を部分的に示す断面図である。
【図５】通路の他の実施の形態を示す平面図である。
【図６】従来例の全閉状態の平面図である。
【図７】全閉状態での弁箱シートとフインとの関係を部分的に示す断面図である。
【図８】充水開度での弁箱シートとフインとの関係を部分的に示す断面図である。
【符号の説明】
１  弁箱
１Ａ  弁箱シート
２  弁体
３  弁棒
４  封止突条
５  封止突条
３０Ａ  フイン
３０ａ  フインの外面
３０Ｂ  フイン
３０ｂ  フインの外面
３１  通路
Ｃ１  弁箱の軸線
Ｃ２  弁棒の軸線
ｔ  隙間
【図１】
2004183673.tif 000003
【図２】
2004183673.tif 000004
【図３】
2004183673.tif 000005
【図４】
2004183673.tif 000006
【図５】
2004183673.tif 000007
【図６】
2004183673.tif 000008
【図７】
2004183673.tif 000009
【図８】
2004183673.tif 000010